(57)【要約】【課題】本発明は、接触部材が制限されず且つ小型化した駆動装置を提供することを目的とする。【解決手段】本発明に係る駆動装置は、中心軸がレンズモジュールの光軸と同軸上である第一収容空間を有し、更に、開口部が設けられる固定フレームと、第一収容空間に移動可能に設置される可動部材と、固定フレームに固定されて可動部材を収容することに用いられる積載体と、可動部材に移動可能に設置され且つその両端は固定フレーム及び積載体に固定される案内部材と、可動部材に固定される接触部材と、開口部に固定され且つ前記接触部材に当接する圧電ユニットであって、該圧電ユニットが変形をすると、接触部材との間の摩擦力によって前記可動部材が連動され、可動部材は案内部材に沿って第一収容空間内で移動する圧電ユニットと、固定フレームに固定される磁気シートと、可動部材に磁気シートに対応して固定されるマグネットと、を備える。【選択図】図２
2013134499.tif 000002
【特許請求の範囲】
【請求項１】
レンズモジュールを駆動して変倍する又は焦点距離を調整することに用いられる駆動装置であって、中心軸が前記レンズモジュールの光軸と同軸上である第一収容空間を有し、開口部が設けられた固定フレームと、前記第一収容空間に移動可能に設置される可動部材と、固定フレームに固定されて前記可動部材を収容することに用いられる積載体と、前記可動部材に移動可能に設置され且つその両端は前記固定フレーム及び前記積載体に固定される案内部材と、前記可動部材に固定される接触部材と、前記開口部に固定され且つ前記接触部材に当接する圧電ユニットであって、該圧電ユニットが変形すると、前記接触部材との間の摩擦力によって前記可動部材が連動され、前記可動部材は前記案内部材に沿って前記第一収容空間で移動する、圧電ユニットと、前記固定フレームに固定される磁気シートと、前記可動部材に前記磁気シートに対応して固定されるマグネットと、を備えることを特徴とする駆動装置。
【請求項２】
前記固定フレームの開口部を有する側壁には第一凹溝が設けられ、前記第一凹溝は、前記磁気シートを収容して固定することに用いられることを特徴とする請求項１に記載の駆動装置。
【請求項３】
前記可動部材には前記第一凹溝に対応する第二凹溝が設けられ、前記第二凹溝は、前記マグネットを収容することに用いられることを特徴とする請求項２に記載の駆動装置。
【請求項４】
前記可動部材の第二凹溝を有する側壁には、長さ方向においてレンズモジュールの光軸に平行する板状の第三凹溝が設けられ、第三凹溝は、接触部材を収容して固定することに用いられることを特徴とする請求項３に記載の駆動装置。
【請求項５】
駆動装置は、前記圧電ユニットを前記開口部に固定することに用いられる固定シートをさらに備えることを特徴とする請求項１〜４のいずれか一項に記載の駆動装置。
【請求項６】
駆動装置は、前記固定シートに固定され且つ前記圧電ユニットに電気的に接続される回路基板をさらに備えることを特徴とする請求項５に記載の駆動装置。
【請求項７】
前記固定フレームと前記積載体と対向する端面には、位置決め孔及び位置決めピンがそれぞれ設置され、前記位置決めピンは、前記位置決め孔を貫通して固定フレームを積載体に固定させることを特徴とする請求項１〜６のいずれか一項に記載の駆動装置。
【発明の詳細な説明】
【技術分野】
【０００１】
本発明は、駆動装置に関して、特に圧電アクチュエータを採用する駆動装置に関するものである。
【背景技術】
【０００２】
カメラ付き携帯電話は、可動部材を備えたレンズモジュールを含む。圧電アクチュエータは、圧電ユニット及び該圧電ユニットと接触して可動部材によって固定された接触部材を備え、圧電ユニットが変形すると、圧電ユニットと接触部材との間に摩擦力が発生するため、この摩擦力によって、可動部材を連動して上下に移動させて、変倍させる又は焦点距離を調整する。
【０００３】
現用の圧電ユニットは、変形させる際、可動部材の固定によって、レンズモジュールが損傷するのを防止するために、２つのマグネットによって可動部材に固定された接触部材を引き付ける。その中で、２つのマグネットは、レンズ群の移動経路の両端に設置され、圧電ユニットはこの２つのマグネットの間に設置される。しかしこれにより、圧電アクチュエータの長さが長くなる。また、接触部材は、金属や磁性材料などのようなマグネットに引き付けられることが可能な材料を採用しなければならないため、接触部材の材料は制限される。
【発明の概要】
【発明が解決しようとする課題】
【０００４】
本発明の目的は、前記課題を解決し、接触部材の材料が制限されず且つ小型化した駆動装置を提供することである。
【課題を解決するための手段】
【０００５】
本発明に係る駆動装置は、レンズモジュールを駆動して変倍する又は焦点距離を調整することに用いられる。駆動装置は、中心軸が前記レンズモジュールの光軸と同軸上である第一収容空間を有し、更に、開口部が設けられる固定フレームと、前記第一収容空間に移動可能に設置される可動部材と、固定フレームに固定されて前記可動部材を収容することに用いられる積載体と、前記可動部材に移動可能に設置され且つその両端が前記固定フレーム及び前記積載体に固定される案内部材と、前記可動部材に固定される接触部材と、開口部に固定され且つ前記接触部材に当接する圧電ユニットであって、該圧電ユニットが変形すると、前記接触部材との間の摩擦力によって前記可動部材が連動され、前記可動部材は前記案内部材に沿って前記第一収容空間内で移動する、圧電ユニットと、前記固定フレームに固定される磁気シートと、前記可動部材に前記磁気シートに対応して固定されるマグネットと、を備える。
【発明の効果】
【０００６】
本発明の駆動装置は、可動部材を可動部材に設置されるマグネット及び固定フレームに設置される磁気シートによって固定することができる。また、磁気シート及びマグネットは、圧電ユニットから離れた箇所に設置されるため、別に圧電ユニットを収容する空間を設ける必要がない。これにより、駆動装置の高さは小さくなり、小型化することができる。また、マグネットと磁気シートが互いに引き付けることによって可動部材を固定させるため、必ずマグネットと接触部材とを接続する必要はない。従って、接触部材の材料は制限されない。
【図面の簡単な説明】
【０００７】
【図１】本発明の実施形態に係る駆動装置を示す図である。
【図２】図１に示した本発明の実施形態に係る駆動装置の分解図である。
【図３】図１に示した本発明の実施形態に係る駆動装置の他の角度から見た分解図である。
【発明を実施するための形態】
【０００８】
以下、図面を参照して、本発明の実施形態について説明する。
【０００９】
図１〜図３を参照すると、本発明の実施形態に係る駆動装置１００は、レンズモジュール（図示せず）を駆動して焦点調整する。駆動装置１００は、固定フレーム１１と、可動部材１２と、積載体１３と、案内部材１４と、圧電ユニット１５と、磁気シート１６と、マグネット１７と、回路基板１８と、固定シート１９と、接触部材２０と、を備える。
【００１０】
回路基板１８は、圧電ユニット１５に電力を供給して作動させることに用いられる。回路基板１８が圧電ユニット１５に電力を供給すると、圧電ユニット１５は機械変形する。具体的には、異なる方向の電圧は異なる方向の機械変形を生じ、異なる大きさの電圧は、異なる大きさの機械変形を生じる。回路基板１８はプリント回路基板又はフレキシブル回路基板である。
【００１１】
固定フレーム１１は、第一収容空間１１０を有する方形の構造である。第一収容空間１１０は可動部材１２を収容することに用いられ、その中心軸はレンズモジュールの光軸と同軸上である。固定フレーム１１の一角には、レンズモジュールの光軸に平行する第一貫通孔１１１が設けられている。固定フレーム１１の第一貫通孔１１１を有する側壁には、圧電ユニット１５を収容するための開口部１１２が設けられている。固定シート１９は、圧電ユニット１５を開口部１１２に固定するとともに、回路基板１８を固定フレーム１１に固定するために用いられる。固定フレーム１１の積載体１３に近い一端の四角には、位置決め孔１１３が設けられている。また、固定フレーム１１の開口部１１２を有する側壁には、磁気シート１６を収容して固定するための第一凹溝１１４が設けられている。磁気シート１６は接着剤によって該第一凹溝１１４に固定される。
【００１２】
可動部材１２は第一収容空間１１０に移動可能に設置される。可動部材１２は、第二収容空間１２０を有する方形の構造である。第二収容空間１２０の中心軸はレンズモジュールの光軸と同軸上である。第二収容空間１２０はレンズモジュールを収容することに用いられる。
【００１３】
可動部材１２の一角には、固定フレーム１１の第一貫通孔１１１に対応し且つレンズモジュールの光軸に平行する第二貫通孔１２１及び第三貫通孔１２２が同軸上に設けられている。積載体１３には、止り穴１３１が第一貫通孔１１１、第二貫通孔１２１及び第三貫通孔１２２に対応して設けられている。案内部材１４は、第二貫通孔１２１及び第三貫通孔１２２を貫通し、その両端は、第一貫通孔１１１及び止り穴１３１にそれぞれに設置された後、接着剤によって固定フレーム１１及び積載体１３に固定される。これにより、案内部材１４の案内の下、可動部材１２を第一収容空間１１０内で上下に移動させることができる。
【００１４】
可動部材１２には、第一凹溝１１４に対応する第二凹溝１２３が設けられている。第二凹溝１２３はマグネット１７を収容することに用いられる。マグネット１７と磁気シート１６を互いに引き付けることによって、可動部材１２を固定フレームに対して一定の位置に固定させる。
【００１５】
可動部材１２の第二凹溝１２３を有する側壁には、長さ方向においてレンズモジュールの光軸に平行する板状の第三凹溝１２４が設けられている。第三凹溝１２４は、接触部材２０を収容して固定することに用いられる。圧電ユニット１５が開口部１１２に固定されると、圧電ユニット１５と接触部材２０とは互いに接触する。
【００１６】
積載体１３は固定フレーム１１及び可動部材１２の形状に対応して方形の形状であり、その中心には通光孔１３０が設けられている。通光孔１３０は、レンズモジュールを経た光線を、積載体１３に設置されたイメージセンサー（図示せず）に入射させて結像させることに用いられる。積載体１３の四角には、位置決めピン１３２がそれぞれに設置されている。位置決めピン１３２は、固定フレーム１１の位置決め孔１１３を貫通して固定フレーム１１を積載体１３に固定させる。
【００１７】
回路基板１８が圧電ユニット１５に電力を供給すると、圧電ユニット１５は、入力されたエネルギーを自身の機械変形に変換させる。該機械変形は、圧電ユニット１５と接触部材２０との間に摩擦力を生じる。圧電ユニット１５は固定フレーム１１に固定されているため、接触部材２０は、可動部材１２を連動してレンズモジュールの光軸に平行する摩擦力によって駆動され、可動部材１２は、案内部材１４に沿って第一収容空間１１０内で上下に移動する。これにより、レンズモジュールを光軸に沿って上下に移動させることによって、変倍させる又は焦点距離を調整する。
【００１８】
本発明の駆動装置１００は、可動部材１２をこの可動部材１２に設置されるマグネット１７及び固定フレーム１１に設置される磁気シート１６によって固定することができる。また、磁気シート１６及びマグネット１７は、圧電ユニット１５から離れた箇所に設置されるため、別に圧電ユニット１５の収容する空間を設ける必要がない。従って、駆動装置１００の高さを低くし、小型化することができる。
【００１９】
また、本発明は１つのマグネット１７のみを使用するため、駆動装置１００の組み立てが容易であり且つ２つのマグネットの位置を互いに対応させる必要はない。
【００２０】
マグネット１７と磁気シート１６とを互いに引き付けることによって可動部材１２を固定するため、必ずマグネット１７と接触部材２０とを接続する必要はない。従って、接触部材２０の材料は制限されない。
【００２１】
以上、本発明を実施形態に基づいて具体的に説明したが、本発明は、上述の実施形態に限定されるものではなく、その要旨を逸脱しない範囲において、種々の変更が可能であることは勿論であって、本発明の保護範囲は、以下の特許請求の範囲から決まる。
【符号の説明】
【００２２】
１１  固定フレーム
１２  可動部材
１３  積載体
１４  案内部材
１５  圧電ユニット
１６  磁気シート
１７  マグネット
１８  回路基板
１９  固定シート
２０  接触部材
１００  駆動装置
１１０  第一収容空間
１１１  第一貫通孔
１１２  開口部
１１３  位置決め孔
１１４  第一凹溝
１２０  第二収容空間
１２１  第二貫通孔
１２２  第三貫通孔
１２３  第二凹溝
１２４  第三凹溝
１３０  通光孔
１３１  止り穴
１３２  位置決めピン
【図１】
2013134499.tif 000003
【図２】
2013134499.tif 000004
【図３】
2013134499.tif 000005